(57)【特許請求の範囲】
【請求項１】
電源回路（１２）から給電され人体を検知する人感センサ（１１）のセンサ信号（Ｓ１）を無線で送信できるセンサＲＦ回路（１５）および前記人感センサからのセンサ信号をトリガーとして映像を録画する録画回路（１７）、メモリ（１８）および録画された映像を再生する再生回路（２０）を内蔵したカメラ付き監視カメラ（１）と、前記センサ信号を受信する子機ＲＦ回路（３１）を内蔵したＲＦ回路内蔵ドアホン子機（３）と、前記ＲＦ回路内蔵ドアホン子機が前記センサ信号を受信したとき警告表示と警告音の警告とで前記人感センサが作動したことを報知するテレビドアホン親機（５）とで構成されることを特徴とするテレビドアホン装置。
【請求項２】
前記カメラ付き監視カメラは、前記電源回路としてのバッテリの寿命を長くするため、前記人感センサの前記センサ信号をトリガーとして少なくとも前記録画回路、前記センサＲＦ回路に電源を供給する主電源制御回路(１３)と、再生ボタン(１９)を押下したトリガーで前記再生回路に電源を供給する副電源制御回路(２１)とを備えたことを特徴とする請求項１記載のテレビドアホン装置。
【請求項３】
前記カメラ付き監視カメラは、前記映像を送出する外部出力回路(２２)を備えたことを特徴とする請求項１記載のテレビドアホン装置。
【請求項４】
前記カメラ付き監視カメラは、前記主電源制御回路から給電され、威嚇するためと撮像するために発光用に必要な高圧発生回路(２３)および発光素子(２４)を備えたことを特徴とする請求項２記載のテレビドアホン装置。
【発明の詳細な説明】
【０００１】
【発明の属する技術分野】
本発明は、テレビドアホン装置に係わり、任意の場所に監視カメラを設置できるテレビドアホン装置に関する。
【０００２】
【従来の技術】
従来から、この種のテレビドアホン装置として、図２に示すような構成のものが知られている。同図において、従来のテレビドアホン装置は、玄関先に設置されるテレビドアホン６と、住戸内に設置されるテレビドアホン親機７とを備えており、テレビドアホン６は、第１、第２の伝送線路Ｌ１０、Ｌ２０を介してテレビドアホン親機７に接続されている。
【０００３】
ここで、テレビドアホン６は、センサ６１およびカメラ６２を備えており、また、テレビドアホン親機７は、ＣＰＵ７０、セットボタン７１、再生ボタン７２、センサ切替回路７３、録画回路７４、メモリ７５、表示回路７６および液晶ディスプレイ７７を備えている。
【０００４】
次に、このような構成のテレビドアホン装置の動作について説明する。
【０００５】
まず、住戸内の居住者がテレビドアホン親機７のセットボタン７１を押下すると、ＣＰＵ７０の制御により、センサ切替回路７３がブレイクからメイクに切り替えられ、起動信号が録画回路７４へ伝送される。これにより、テレビドアホン親機７が留守録画機能状態に設定される。
【０００６】
このような状態において、来訪者が玄関先に近づくと、テレビドアホン６のセンサ６１およびカメラ６２が能動となり、このセンサ６１により来訪者が検知され、また、カメラ６２により来訪者の映像が撮像される。これにより、テレビドアホン６からセンサ信号Ｓ１０と映像信号Ｓ２０とが出力され、前者のセンサ信号Ｓ１０が第１の伝送線路Ｌ１０を介して、後者の映像信号Ｓ２０が第２の伝送線路Ｌ２０を介してテレビドアホン親機７にそれぞれ伝送される。
【０００７】
そして、映像信号Ｓ２０がセンサ切替回路７３および録画回路７４を介してメモリ７５へ伝送され、当該メモリ７５にキャプチャーされた来訪者の映像信号Ｓ２０が録画蓄積される
一方、居住者が住戸内に帰宅した後、テレビドアホン親機７のセットボタン７１を押下すると、ＣＰＵ７０の制御により、センサ切替回路７３がメイクからブレイクに切り替えられ、これにより、テレビドアホン親機７の留守録画機能状態が解除される。
【０００８】
次いで、居住者がテレビドアホン親機７の再生ボタン７２を押下すると、ＣＰＵ７０の制御により、表示回路７６を介してメモリ７５に録画蓄積されている映像信号Ｓ２０が読み出され、この映像信号Ｓ２０が液晶ディスプレイ７７へ伝送される。これにより、来訪者の映像が液晶ディスプレイ７７の画面上に表示される。
【０００９】
【発明が解決しようとする課題】
しかしながら、このような構成のテレビドアホン装置においては、テレビドアホン６が玄関子機としての役割を有していることから、テレビドアホン６の設置場所が玄関先に制限され、ひいては、テレビドアホン６を監視し易い場所に設置できないという難点があった。また、テレビドアホン６が第１、第２の伝送線路Ｌ１０、Ｌ２０を介してテレビドアホン親機７に接続されていることから、電源の供給上の制限がある上、配線工事などの費用が嵩むなどの難点があった。
【００１０】
本発明は、このような難点を解決するためになされたもので、任意の場所に監視カメラを設置でき、また、電源の供給上の制限がなく、コスト的にも有利なテレビドアホン装置を提供することを目的としている。また、電源の供給上の制限がなく、コスト的にも有利なテレビドアホン装置を提供することを目的としている
【００１１】
【課題を解決するための手段】
上記の目的を解決するために、本発明のテレビドアホン装置は、電源回路から給電され人体を検知する人感センサのセンサ信号を無線で送信できるセンサＲＦ回路および人感センサからのセンサ信号をトリガーとして映像を録画する録画回路、メモリおよび録画された映像を再生する再生回路を内蔵したカメラ付き監視カメラと、センサ信号を受信する子機ＲＦ回路を内蔵したＲＦ回路内蔵ドアホン子機と、ＲＦ回路内蔵ドアホン子機がセンサ信号を受信したとき警告表示と警告音の警告とで人感センサが作動したことを報知するテレビドアホン親機とを備えている。
【００１２】
また、本発明のテレビドアホン装置におけるカメラ付き監視カメラは、電源回路としてのバッテリの寿命を長くするため、人感センサのセンサ信号をトリガーとして少なくとも録画回路、センサＲＦ回路に電源を供給する主電源制御回路と、再生ボタンを押下したトリガーで再生回路に電源を供給する副電源制御回路とを備えている。
【００１３】
また、本発明のテレビドアホン装置におけるカメラ付き監視カメラは、映像を送出する外部出力回路を備えている。
【００１４】
また、本発明のテレビドアホン装置におけるカメラ付き監視カメラは、主電源制御回路から給電され、威嚇するためと撮像するために発光用に必要な高圧発生回路および発光素子を備えている。
【００１５】
本発明のテレビドアホン装置によれば、カメラ付き監視カメラに各部（回路）に電源を供給できる電源回路を備え、また、人感センサのセンサ信号を無線で送信できるセンサＲＦ回路を備えていることから、カメラ付き監視カメラを任意の位置に設置することができ、ひいては、カメラ付き監視カメラを監視し易い場所に設置することができる。また、テレビドアホンを伝送線路を介してテレビドアホン親機に接続する必要がないことから、設置工事などの費用を低減することができる。
【００１６】
【発明の実態の形態】
以下、本発明のテレビドアホン装置を適用した好ましい実施の形態例について、図面を参照して詳述する。
【００１７】
図１は、本発明によるテレビドアホン装置の一実施例のブロック図を示している。同図において、本発明のテレビドアホン装置は、人体を監視し易い場所などに設置されるカメラ付き監視カメラ１と、玄関先に設置されるＲＦ回路内蔵ドアホン子機３と、住戸内に設置されるテレビドアホン親機５とを備えており、ＲＦ回路内蔵ドアホン子機３は伝送路Ｌ１を介してテレビドアホン親機５に接続されている。
【００１８】
カメラ付き監視カメラ１は、人体を検知する人感センサ１１と、人体を撮像するカメラ１４と、アンテナ１５ａ（以下「センサアンテナ１５ａ」という。）を有するセンサＲＦ回路１５と、各部（回路）を制御するＣＰＵ１６（以下「センサＣＰＵ１６」という。）と、映像を録画する録画回路１７と、カメラ１４、センサＲＦ回路１５、録画回路１７および後述する高圧発生回路２３に電源を供給する主電源制御回路１３と、人感センサ１１、主電源制御回路１３およびセンサＣＰＵ１６に電源を供給するバッテリなどから成る電源回路１２と、メモリ１８（以下「センサメモリ１８」という。）と、再生ボタン１９と、録画された映像を再生する再生回路２０と、再生回路２０に電源を供給する副電源制御回路２１と、映像を送出する外部出力回路２２と、高電圧を発生する高圧発生回路２３と、高電圧により発光するキセノンランプなどから成る発光素子２４とを備えている。ここで、センサＣＰＵ１６は、人感センサ１１、電源回路１２、センサＲＦ回路１５、録画回路１７、再生ボタン１９、副電源制御回路２１および高圧発生回路２３に接続され、電源回路１２には人感センサ１１および主電源制御回路１３が、録画回路１７にはカメラ１４、主電源制御回路１３、センサメモリ１８および再生回路２０が、高圧発生回路２３には発光素子２４が接続されている。また、人感センサ１１は、主電源制御回路１３に接続され、再生回路２０は、副電源制御回路２１および外部出力回路２２に接続され、副電源制御回路２１には主電源制御回路１３が接続されている。
【００１９】
ＲＦ回路内蔵ドアホン子機３は、アンテナ３１ａ（以下「子機アンテナ３１ａ」という。）を有する子機ＲＦ回路３１と、子機インターフエース３２と、ドアホン回路３３とを備えている。ここで、子機インターフエース３２は子機ＲＦ回路３１およびドアホン回路３３に接続されている。
【００２０】
テレビドアホン親機５は、親機インターフエース５１と、各部（回路）を制御するＣＰＵ５２（以下「親機ＣＰＵ５２」という。）と、メモリ５３（以下「親機メモリ５３」という。）と、表示回路５４と、来訪者の映像を表示する液晶ディスプレイ５５と、音声発生回路５６と、スピーカ５７とを備えている。ここで、親機ＣＰＵ５２は、親機インターフエース５１、親機メモリ５３および音声発生回路５６に接続され、親機メモリ５３には表示回路５４を介して液晶ディスプレイ５５がが接続され、音声発生回路５６にはスピーカ５７が接続されている。
【００２１】
次に、このように構成された本発明のテレビドアホン装置の動作について説明する。
【００２２】
先ず、電源回路１２から電源の供給により人感センサ１１は能動状態にされている。そして、カメラ付き監視カメラ１を設置した場所に不審者などが侵入すると、当該不審者の侵入が人感センサ１１により検知され、人感センサ１１からセンサ信号Ｓ１が出力され、このセンサ信号Ｓ１がセンサＣＰＵ１６および主電源制御回路１３へ伝送される。これにより、主電源制御回路１３から、カメラ１４、センサＲＦ回路１５、録画回路１７および高圧発生回路２３に対して動作電源が供給される。また、これとともに、センサＣＰＵ１６から、映像信号をキャプチャする起動信号が録画回路１７へ伝送される。ここで、この実施例において、センサ信号Ｓ１をトリガーとして、主電源制御回路１３から録画回路１７およびセンサＲＦ回路１５に電源を供給するようにしたのは、電源回路としてのバッテリの寿命を長くするためである。
【００２３】
一方、カメラ１４への動作電源の供給により、カメラ１４が動作し、これにより、カメラ１４から撮像された不審者の映像信号Ｓ２が出力される。かかる映像信号Ｓ２は録画回路１７に伝送され、この録画回路１７において映像信号がキャプチャされて、センサメモリ１８に蓄積される。
【００２４】
また、センサ信号Ｓ１がセンサＣＰＵ１６で検出されると、センサＣＰＵ１６からセンサ検出信号および起動信号が出力され、前者のセンサ検出信号がセンサＲＦ回路１５へ、後者の起動信号が高圧発生回路２１へ送出される。そして、前者のセンサ検出信号は、センサＲＦ回路１５において変調され、電波としてセンサアンテナ１５ａより送出される。
【００２５】
次いで、センサアンテナ１５ａより送出されたセンサ検出信号は、子機アンテナ３１ａで受信され、子機ＲＦ回路３１において復調されて、センサ信号Ｓ１として、子機インターフエース３２を介して親機インターフエース５１へ伝送される。
【００２６】
かかるセンサ信号Ｓ１が親機ＣＰＵ５２で検出されると、親機ＣＰＵ５２から第１、第２の制御信号が出力され、第１の制御信号が親機メモリ５３へ、第２の制御信号が音声発生回路５６へ伝送される。そして、第１の制御信号により、親機メモリ５３から文字が読み出され、この読み出された文字が表示回路５４を介して液晶ディスプレイ５５へ伝送される。これにより、液晶ディスプレイ５５の画面に、例えば「センサが働きました」なる文字が表示される。また、第２の制御信により、音声発生回路５６から音声信号が出力され、この音声信号がスピーカ５７へ伝送される。これにより、スピーカ５７から警告音が発報される。以上の液晶ディスプレイ５５による表示とスピーカ５７からの警告音とで、住戸内の居住者は、人感センサ１１が作動したことを知ることができる。
【００２７】
一方、後者の起動信号が高圧発生回路２３へ送出されると、当該高圧発生回路２１から高電圧が発生し、発光素子２４が発光する。この発光により、夜間において撮像するために必要な照明が得られ、また、不審者を威嚇することができる。
【００２８】
次に、カメラ付き監視カメラ１の外部出力回路２２に、ＴＶなどの表示装置を接続した場合について説明する。
【００２９】
先ず、カメラ付き監視カメラ１を住戸内に搬入し、当該カメラ付き監視カメラ１の外部出力回路２２にＴＶなどの表示装置（不図示）を接続する。そして、住戸内の居住者が再生ボタン１９を押下すると、センサＣＰＵ１６の制御により、副電源制御回路２１が起動され、この副電源制御回路２１から録画回路１７および再生回路２０に動作電源が供給される。また、これとともに、センサＣＰＵ１６の制御により、録画回路１７にも制御信号が送られ、センサメモリ１８から蓄積された映像データが読み出され、当該映像データが再生回路２０を介して外部出力回路２２へ伝送される。これにより、ＴＶなどの表示装置（不図示）に不審者の映像が映し出される。以上により、居住者は、住戸内において、家庭内のＴＶなどで簡単に録画された映像を再生することができる。ここで、この実施例において、再生ボタン１９の押下によるトリガーにより、副電源制御回路２１から再生回路２０に電源を供給するようにしたのは、電源回路１２としてのバッテリの寿命を長くするためである。
【００３０】
【発明の効果】
以上の説明から明らかなように、本発明のテレビドアホン装置によれば、カメラ付き監視カメラに各部（回路）に電源を供給できる電源回路を備え、また、人感センサのセンサ信号を無線で送信できるセンサＲＦ回路を備えていることから、カメラ付き監視カメラを任意の位置に設置することができ、ひいては、カメラ付き監視カメラを監視し易い場所に設置することができる。また、テレビドアホンを伝送線路を介してテレビドアホン親機に接続する必要がないことから、設置工事などの費用を低減することができる。
【図面の簡単な説明】
【図１】本発明によるテレビドアホン装置の一実施例のブロック図。
【図２】従来のテレビドアホン装置のブロック図。
【符号の説明】
１・・・カメラ付き監視カメラ
１１・・・人感センサ
１２・・・電源回路
１３・・・主電源制御回路
１５・・・センサＲＦ回路
１７・・・録画回路
１８・・・メモリ
１９・・・再生ボタン
２０・・・再生回路
２１・・・副電源制御回路
２２・・・外部出力回路
２３・・・高圧発生回路
２４・・・発光素子
３・・・ＲＦ回路内蔵ドアホン子機
３１・・・子機ＲＦ回路
５・・・テレビドアホン親機
Ｓ１・・・センサ信号
【図１】
0004085405.tif 000002
【図２】
0004085405.tif 000003